(57)【要約】【課題】ツリークライマー等が高所にある枝等へクライミングロープを掛け渡す作業を容易かつ安全に行えるようにする高所紐掛け装置を提供する。【解決手段】本発明の高所紐掛け装置は、ポールの先端側に配設されるベース（１１）と、ベースに枢支される支持部（１２１）と錘または紐を掛ける掛部（１２２）とを有するアーム（１２）を備える。アームを一定の姿勢に保持するコイルバネ（１４）に抗して解除ワイヤー（１５）を操作すると、アームは傾動して、錘または紐は掛部から離脱し、錘が枝等を跨いで自然落下する。錘に連結されていた紐の先端部にクライミングロープを結着して、その紐を逆に手繰って回収する。こうして、クライミングロープを枝等に掛け渡した状態とできる。本発明の高所紐掛け装置によれば、錘を投げたりする必要がないため、街路樹の枝等へもロープを安全かつ容易に掛け渡すことができる。【選択図】図１Ｂ
2018161086.tif 000002
【特許請求の範囲】
【請求項１】
ポールの先端側に配設されるベースと、
該ベースに枢支される支持部と該支持部から離間した位置にあり錘または紐を掛けられる掛部とを有し該ベースに対して揺動可能なアームと、
を備えた高所紐掛け装置。
【請求項２】
さらに、前記アームの揺動を規制する規制手段と、
該アームの揺動を許容する解除手段と、
を備える請求項１に記載の高所紐掛け装置。
【請求項３】
前記規制手段は、前記アームを前記ポールの延伸側へ付勢する付勢手段である請求項２に記載の高所紐掛け装置。
【請求項４】
前記解除手段は、前記付勢手段の付勢力に抗して前記アームを反転させる反転手段である請求項３に記載の高所紐掛け装置。
【請求項５】
竿状の可撓部と、
該可撓部の先端側に設けられて錘または紐を掛けられる掛部と、
を備えた高所紐掛け装置。
【請求項６】
前記ベースと併存可能または交換可能であり、掛合または切断を行える補助具を備える請求項１〜５のいずれかに記載の高所紐掛け装置。
【請求項７】
木登りに用いられる請求項１〜６のいずれかに記載の高所紐掛け装置。
【請求項８】
請求項１〜７のいずれかに記載の高所紐掛け装置を用いた高所紐掛け方法。
【発明の詳細な説明】
【技術分野】
【０００１】
本発明は、木登り（ツリークライミング）等に利用できる高所紐掛け装置等に関する。
【背景技術】
【０００２】
作業や趣味等で樹木へ登る場合、枝に足を掛ける必要がある。その足場となる最初の枝が地上から高所にあるとき、その枝まで梯子を使って上がるか、その枝にロープを引っ掛けて登る必要がある。
【０００３】
梯子を使う場合、梯子の運搬や梯子を地上で支える協力者等が必要となり、木登りする者（ツリークライマー）等の負担が大きい。このため、最初の足場となる枝までロープを引っ掛けて登る者が多い。しかし、高所にある枝へ木登り用ロープ（クライミングロープ）をいきなり引っ掛けることは容易ではない。そこで、そのロープ掛けを補助する器具または方法が提案されており、下記の特許文献に関連する記載がある。
【先行技術文献】
【特許文献】
【０００４】
【特許文献１】米国特許６０５３１５６号公報
【発明の概要】
【発明が解決しようとする課題】
【０００５】
特許文献１は、パチンコ（slingshot）を使って、紐（line）の先端に結び着けられた錘（weight）を枝の上へ投げ飛ばして、枝に掛け渡された状態となった紐の先端をロープに結び替え、その紐を引き戻すことにより、枝にロープを掛け渡す方法等を提案している
【０００６】
しかし、このような方法の実施には、錘を投げても支障がない十分なスペースを確保する必要があり、場所的または状況的な制限が大きい。例えば、街路樹等の剪定や整備を行う場合、通常、その周囲には人が居たり車や建造物がある。これらへのダメージを回避するため、作業者は枝に向けて錘を安易に投げることができない。従って、このような場所では、特許文献１で提案されている器具や方法を使用することは、実質的に困難である。
【０００７】
本発明はこのような事情に鑑みて為されたものであり、高所にある枝等へロープ等を容易かつ安全に掛け渡すことができる高所紐掛け装置等を提供することを目的とする。
【課題を解決するための手段】
【０００８】
本発明者はこの課題を解決すべく鋭意研究した結果、長いポールの先端側に揺動可能に設けたアームにより、紐が結着された錘を枝等を跨いで落下させ、枝に掛け渡された紐を使ってロープを枝等へ掛け渡すことを着想した。これを具現化し、発展させることにより、以降に述べる本発明を完成するに至った。
【０００９】
《高所紐掛け装置》
（１）本発明は、ポールの先端側に配設されるベースと、該ベースに枢支される支持部と該支持部から離間した位置にあり錘または紐を掛けられる掛部とを有し該ベースに対して揺動可能なアームと、を備えた高所紐掛け装置である。
【００１０】
（２）また本発明は、竿状の可撓部と、該可撓部の先端側に設けられて錘または紐を掛けられる掛部と、を備えた高所紐掛け装置としても把握できる。
【００１１】
いずれの場合でも、本発明の高所紐掛け装置（単に「紐掛け装置」ともいう。）を用いることにより、山中のみならず街中にある高所物（例えば枝）へも、安全かつ容易にロープを掛け渡すことができる。
【００１２】
《高所紐掛け方法》
さらに本発明は、上述した紐掛け装置を用いた高所紐掛け方法として把握してもよい。例えば、その紐掛け装置を用いて、紐が結着された錘を高所まで搬送する搬送ステップと、アームを揺動させて高所物（枝等）に紐が掛け渡された状態で錘を落下させる揺動ステップと、を備える紐掛け方法として本発明を把握できる。加えて、高所物に掛け渡された状態にある紐の先端側（錘側）にロープ（綱）を結着する結着ステップと、その紐を引き戻して回収することによりロープを高所物に掛け渡す掛渡ステップと、を備えてもよい。
【図面の簡単な説明】
【００１３】
【図１Ａ】一実施例である紐掛け装置を示す全体図である。
【図１Ｂ】その要部を示す拡大図である。
【図２Ａ】紐掛け装置で枝に紐を掛け渡す様子を示す説明図である。
【図２Ｂ】紐掛け装置で枝に掛け渡された紐を使って、枝にロープを掛け渡す様子を示す説明図である。
【図３】紐掛け装置に追加する補助具の一例を示す図である。
【発明を実施するための形態】
【００１４】
上述した本発明の構成要素に、本明細書中から任意に選択した一つまたは二つ以上の構成要素を付加し得る。本明細書で説明する内容は、本発明の紐掛け装置のみならず紐掛け方法にも適宜該当する。方法的な構成要素であっても物に関する構成要素ともなり得る。いずれの実施形態が最良であるか否かは、対象、要求性能等によって異なる。
【００１５】
《ポール》
ポールは、伸縮して長さ調整できると、紐掛けできる高さ調整と運搬の利便性を両立できて好ましい。例えば、小径ポールと、小径ポールを収容できる中空状の大径ポールとを組合わせた複数段ポールを用いるとよい。このようなポールは、紐掛け装置専用でも良いし、他の用具（例えば、高枝用切り鋏、高枝用ノコギリ等）にも使用されるものを兼用してもよい。
【００１６】
《ベース》
ベースは、ポールの先端側に設けられて、アームを揺動可能に支持できるものであればよい。ベースは、ポールと一体に設けられてもよいし、螺設（螺着）、冠設（冠着）、嵌設（嵌着）、被着等によりポールの先端に取付け（さらにいえば取外し）されるものでもよい。ポールと一体に設けられるベースは、ポールと別部材であってもよいし、ポール自体の先端部から構成されてもよい。
【００１７】
《アーム》
アームは、揺動可能にベースに連結（枢支）される支持部と、その支持部から離間した位置（通常は先端部）に錘または紐を掛けられる掛部を有する。支持部は、例えば、ピンやリンクにより構成される。掛部は、鉛直上方側に開口したＵ字状またはＣ字状のフックでもよいし、アームの揺動に連動して開くリングでもよいし、アームの揺動に連動して解放するグリッパー（ピッカー）等でもよい。
【００１８】
錘または紐を高所へ運ぶとき、ポールの先端側にあるアームは、余計な枝等に干渉しないように姿勢が安定していると好ましい。そこで本発明の紐掛け装置は、アームの揺動を規制する規制手段を備えると好ましい。規制手段は、例えば、アームをポールの延伸側（ポールの中心線方法等）へ付勢する付勢手段（バネ、ゴム等）である。このような付勢手段を設けることにより、アームはポールからあまり突出しなくなるため、枝等に邪魔されずに、高所へ移動し易くなる。なお、規制手段は、バネ等の付勢手段に加えて、アームの揺動を一定範囲に制限するストッパー等を備えると好ましい。
【００１９】
規制手段に対応して、高所でアームの揺動を許容する解除手段が設けられるとよい。例えば、付勢手段を設ける場合なら、解除手段は、付勢手段の付勢力に抗してアームを反転させる反転手段とするとよい。反転手段は、例えば、アームの支持部と掛部の中間に連結（掛止）された解除ワイヤーである。解除ワイヤーを引き下げると、アームはバネ等の付勢力に抗して反対側（下側）へ回転し、掛部から錘等が離脱して紐が枝等に掛け渡された状態となる。
【００２０】
《可撓部》
本発明の紐掛け装置は、ベースとアームを備える上述した構成とする他、例えば、竿状の可撓部と、その先端側に設けた掛部とにより構成することも可能である。可撓部は、そのしなりにより、既述したアームと同様な作動が可能である。なお、可撓部の先端側に設ける掛部は、上述したアームの先端側に設ける掛部と同様である。
【００２１】
《その他》
本明細書でいう「紐」には糸、ロープ等も含まれる。高強度な紐であれば、掛け渡された紐をそのまま利用して高所へ移動可能である。通常は、枝等に掛け渡された紐の先端側に、別な太いロープ（例えばクライミングロープ等）を結着し、紐を回収することにより、ロープが枝等に掛け渡した状態となり、そのロープを使って高所へ移動する。
【００２２】
本発明の紐掛け装置は、紐の掛け渡しと異なる他の機能を有する用具（補助具）と併存してもよいし、そのような補助具と交換可能でもよい。補助具は、例えば、枝等を切断する切断具（ノコギリ、ハサミ等）、紐掛け装置を枝等に一時的に引っ掛ける掛合具等である。
【実施例】
【００２３】
本発明の一実施例である紐掛け装置Ｓに基づいて、以下に本発明をより具体的に詳述する。
【００２４】
《装置構成》
紐掛け装置Ｓは、図１Ａに示すように、作動部１、竿部２（ポール）、把持部３、紐４および錘５を備える。なお、本実施例で説明する上下方向と左右方向は、便宜上、図１Ａに示す方向とする。
【００２５】
作動部１の詳細は後述する。竿部２は、小径の第一ポール２１と大径の第二ポール２２とロック２３を備える。第一ポール２１は、中空状の第二ポール２２内に収容可能であって、第二ポール２２からの引き出し量がロック２２により調整される。こうして竿部２の全長が調整される。
【００２６】
把持部３は、グリップ３１とハンドル３２を備える。ハンドル３２は、支点３２１でグリップ３１に枢支されている。またハンドル３２の上端側に設けた連結部３２２に、後述する解除ワイヤー１５（解除手段）の下端部が連結されている。
【００２７】
錘５は、丈夫で柔らかいビニールレザー等からなる袋に砂等を詰めたクッションボール５１と、クッションボール５１に取り付けた連結リング５２とを有する。紐４の一端側が、その連結リング５２に連結される。
【００２８】
ところで、作動部１は、図１Ｂに示すように、ベース１１と、アーム１２と、ベース１１の先端側にアーム１２を揺動可能に枢支するピン１３と、コイルバネ１４（付勢手段、規制手段）とを備える。
【００２９】
ベース１１は円錐柱状であり、その根元が中空状の第一ポール２１の先端側開口に嵌め込まれている。ベース１１の根元周辺には、コイルバネ１４の下端部を係止する突起環１１４と、解除ワイヤー１５を挿通するガイド１１５と、解除ワイヤー１５および紐４を挿通するガイド１１６を備える。
【００３０】
アーム１２は緩やかに湾曲したレバー状であり、ベース１１の先端にピン１３で枢支されるショルダー１２１（支持部）と、ショルダー１２１の反対側にあり上方にＵ字状に開口しているフック１２２（掛部）とを有する。
【００３１】
ショルダー１２１の左側には、コイルバネ１４の上端部を係止する連結孔１２４が設けられている。ショルダー１２１の右側には、ベース１１から突出しているピン１１９に当接するストッパ１２６が設けられている。ショルダー１２１の右上側には、解除ワイヤー１５の上端部が連結される連結孔１２５が設けられている。ショルダー１２１の上方からフック１２２にかけて、紐４を挿通したガイドパイプ１２７が設けられている。
【００３２】
コイルバネ１４は、ベース１１の突起環１１４とアーム１２の連結孔１２４とに係止されている。コイルバネ１４により、アーム１２は第一ポール２１の延伸方向側（図１Ｂ上の上下方向側）へ付勢される。アーム１２は、ストッパ１２６がベース１１に設けたピン１１９に当接する位置で保持され、その揺動範囲が規制されている。こうしてアーム１２は、解除ワイヤー１５により逆側（図１Ｂ上で右回転方向）へ引っ張られない限り、図１Ｂに示す姿勢を安定に維持している。
【００３３】
《使用方法》
紐掛け装置Ｓを用いて、ツリークライミングに用いるロープｒ（クライミングロープ）を高所にある枝ｗへ掛け渡す方法について、図２Ａおよび図２Ｂ（両者を併せて単に「図２」という。）を用いて説明する。
【００３４】
紐４と錘５を図１Ｂに示すようにセットして、紐掛け装置Ｓの作動部１を持ち上げる（搬送ステップ）。このとき、竿部２の全長はロック２３で予め調整（固定）されていてもよいし、第一ポール２１を第二ポール２２から引き出しつつ、ある高さまで作動部１を持ち上げた後に、ロック２３で第一ポール２１と第二ポール２２を固定してもよい。
【００３５】
いずれにしても、図２Ａに示すように、第二ポール２２の下端側にあるグリップ３１を持って、紐４を掛け渡す枝ｗ付近まで作動部１を持ち上げる。その状態でハンドル３２を握る。これにより解除ワイヤー１５が引かれて、アーム１２が枝ｗを跨ぐように下方へ傾動する（揺動ステップ）。これにより錘５の連結リング５２がアーム１２のフック１２２から離脱して、クッションボール５１が地上に自然落下する。その結果、クッションボール５１に連結されていた紐４は、枝ｗ上に掛け渡された状態となる（図２Ａ参照）。
【００３６】
なお、紐掛け装置Ｓの操作者は、ハンドル３２を握ってアーム１２を回動させた後も紐４を保持し続けて、クッションボール５１をゆっくりと落下させてもよい。
【００３７】
その後、連結リング５２にロープｒを結着する（結着ステップ）。そして紐４を逆方向へ手繰り寄せて回収し、図２Ｂに示すように、ロープｒが枝ｗに掛け渡された状態とする（掛渡ステップ）。さらに紐４を回収すると、ロープｒが枝ｗに完全に掛け渡された状態となる。この状態のロープｒを利用することにより、容易にツリークライミングが可能となる。
【００３８】
以上のように、本発明によれば、安全かつ容易に、高所物（枝等）へ紐またはロープを掛けることが可能となる。
【００３９】
なお、紐掛け装置Ｓは、図３に示すように、ノコギリ９（切断具）やフック８（掛合具）等の補助具も設けられていてもよい。例えば、ノコギリ９を備えることにより、紐掛け装置Ｓの操作に邪魔にある小枝等を切断したり、剪定作業等も行ったりできる。また、フック８を設けることにより、紐掛け装置Ｓを一時的に枝等に掛けたり、遠くにあるロープ等を手繰り寄せたりすることもできる。
【符号の説明】
【００４０】
Ｓ    紐掛け装置
１    作動部
１１  ベース
１２  アーム
１４  コイルバネ（規制手段、付勢手段）
２    竿部
３    把持部
４    紐
５    錘
【図１Ａ】
2018161086.tif 000003
【図１Ｂ】
2018161086.tif 000004
【図２Ａ】
2018161086.tif 000005
【図２Ｂ】
2018161086.tif 000006
【図３】
2018161086.tif 000007